(57)【要約】【課題】吹出口の形状を小さくすることができる空調システムを提供する。【解決手段】建物１の床下空間８に設置され、空気を加熱する放熱器２１と、床下空間８よりも上方に配置される屋内空間９の一階空間９ａに床下空間８の空気を送出するファン２２と、一階空間９ａの床面５ａに形成され、床下空間８の空気をファン２２により一階空間９ａに導入する吹出口２３と、放熱器２１及びファン２２の動作を制御可能な制御装置２６とを具備する。【選択図】図１
2017067322.tif 000002
【特許請求の範囲】
【請求項１】
建物の床下空間に設置され、空気を加熱する加熱装置と、
前記床下空間よりも上方に配置される屋内空間に前記床下空間の空気を送出するファンと、
前記屋内空間の床面に形成され、前記床下空間の空気を前記ファンにより前記屋内空間に導入する吹出口と、
を具備する、
空調システム。
【請求項２】
前記加熱装置及び前記ファンの動作を制御可能な制御装置をさらに具備し、
前記制御装置は、
冬季において、前記加熱装置を動作させると共に、前記ファンを動作させて前記床下空間の空気を前記吹出口を介して前記屋内空間に送出し、
夏季において、前記加熱装置の動作を停止させると共に、前記ファンを動作させて前記床下空間の空気を前記吹出口を介して前記屋内空間に送出する、
請求項１に記載の空調システム。
【請求項３】
前記屋内空間に配置される室内機と、当該室内機との間で冷媒が流通可能に接続される室外機とを有するエアコンをさらに具備し、
前記室外機は、
前記加熱装置との間で熱媒体が流通可能に接続され、前記熱媒体を加熱可能に構成される、
請求項１又は請求項２に記載の空調システム。
【請求項４】
前記ファンは、
前記屋内空間の空気を前記床下空間に吸引する、
請求項１から請求項３までのいずれか一項に記載の空調システム。
【請求項５】
前記建物の基礎の屋内側に配置される屋内側基礎断熱材と、
前記基礎の屋外側に配置される屋外側基礎断熱材と、
をさらに具備する、
請求項１から請求項４までのいずれか一項に記載の空調システム。
【請求項６】
前記屋内空間は、
前記建物の一階部分を形成する、
請求項１から請求項５までのいずれか一項に記載の空調システム。
【請求項７】
前記加熱装置は、
前記屋内空間に形成される居室空間の下方に配置される、
請求項１から請求項６までのいずれか一項に記載の空調システム。
【発明の詳細な説明】
【技術分野】
【０００１】
本発明は、建物の床下空間の空気を屋内空間に導入して屋内空間の温度を調節する空調システムの技術に関する。
【背景技術】
【０００２】
従来、建物の床下空間の空気を屋内空間に導入して屋内空間の温度を調節する空調システムは公知となっている。例えば、特許文献１に記載の如くである。
【０００３】
特許文献１には、床下空間に屋外の空気を導入する取り入れ口、床下空間の空気を一階の居室（屋内空間）に向けて案内する取り出し口、及び取り出し口から案内された空気を一階の居室に導入する吹き出し口を具備するものが記載されている。
【先行技術文献】
【特許文献】
【０００４】
【特許文献１】特開２０１４−１６７３６９号公報
【発明の概要】
【発明が解決しようとする課題】
【０００５】
しかしながら、特許文献１においては、屋内空間と床下空間との温度差によって生じる対流によって屋内空間に空気を導入するため、十分な量の空気を屋内空間に導入するために吹き出し口の形状を大きくする必要があった。この場合、美観を向上することが困難となってしまうと共に、吹き出し口の設置場所が限定されてしまう。また、吹き出し口からゴミや埃等が落下することを防止するための対策（例えば、フィルターの設置等）が大掛かりなものとなってしまう。
【０００６】
本発明は、以上の如き状況を鑑みてなされたものであり、その解決しようとする課題は吹出口の形状を小さくすることが可能な空調システムを提供するものである。
【課題を解決するための手段】
【０００７】
本発明の解決しようとする課題は以上の如くであり、次にこの課題を解決するための手段を説明する。
【０００８】
即ち、建物の床下空間に設置され、空気を加熱する加熱装置と、前記床下空間よりも上方に配置される屋内空間に前記床下空間の空気を送出するファンと、前記屋内空間の床面に形成され、前記床下空間の空気を前記ファンにより前記屋内空間に導入する吹出口と、を具備するものである。
【０００９】
前記加熱装置及び前記ファンの動作を制御可能な制御装置をさらに具備し、前記制御装置は、冬季において、前記加熱装置を動作させると共に、前記ファンを動作させて前記床下空間の空気を前記吹出口を介して前記屋内空間に送出し、夏季において、前記加熱装置の動作を停止させると共に、前記ファンを動作させて前記床下空間の空気を前記吹出口を介して前記屋内空間に送出することとしてもよい。
このような構成により、冬季及び夏季に屋内空間を快適な温度に調節することができる。
【００１０】
前記屋内空間に配置される室内機と、当該室内機との間で冷媒が流通可能に接続される室外機とを有するエアコンをさらに具備し、前記室外機は、前記加熱装置との間で熱媒体が流通可能に接続され、前記熱媒体を加熱可能に構成されることとしてもよい。
このような構成により、室外機を一つにまとめて省スペース化することができる。
【００１１】
前記ファンは、前記屋内空間の空気を前記床下空間に吸引することとしてもよい。
このような構成により、屋内空間の温度調節をし易くすることができる。
【００１２】
前記建物の基礎の屋内側に配置される屋内側基礎断熱材と、前記基礎の屋外側に配置される屋外側基礎断熱材と、をさらに具備することとしてもよい。
このような構成により、床下空間の保温効果を高めて、屋外の空気による温度変化を抑制することができる。
【００１３】
前記屋内空間は、前記建物の一階部分を形成することとしてもよい。
このような構成により、床下空間の空気を屋内空間に簡単に送ることができる。
【００１４】
前記加熱装置は、前記屋内空間に形成される居室空間の下方に配置されることとしてもよい。
このような構成により、居室空間の床面を加熱装置で暖めることができる。
【発明の効果】
【００１５】
吹出口の形状を小さくすることができる。
【図面の簡単な説明】
【００１６】
【図１】（ａ）空調システムが設けられる建物を示した模式図。（ｂ）建物の下部を示した断面図。
【図２】一階空間を示した平面模式図。
【図３】空調システムの配置を示した平面模式図。
【図４】放熱器を示した背面図。
【図５】ファン及び吹出口を示した背面図。
【図６】室外機を示した背面図。
【図７】冬季における空調システムの動作を示した模式図。
【図８】春季及び秋季における空調システムの動作を示した模式図。
【図９】夏季における空調システムの動作を示した模式図。
【発明を実施するための形態】
【００１７】
以下の説明においては、図中に記した矢印に従って、上下方向、左右方向及び前後方向をそれぞれ定義する。
【００１８】
まず、図１を参照して、本実施形態に係る空調システム２０が設けられる建物１の構成について説明する。
【００１９】
本実施形態に係る建物１は、二階建ての一軒家である。建物１は、基礎２、土台３、外壁部４、一階床部５、二階床部６及び屋根７等を具備する。
【００２０】
基礎２は、建物１の自重を地盤Ｇに伝えて建物１を地盤Ｇに固定するためのものである。基礎２は、ベース部２ａ及び立ち上がり部２ｂ等を具備する。ベース部２ａは、その下部が地盤Ｇ内に配置されて建物１の底面を形成する。立ち上がり部２ｂは、ベース部２ａの外縁部から上方向に延びるように形成される。
【００２１】
土台３は、基礎２の立ち上がり部２ｂの上面に配置される部材（角材）である。土台３は、アンカーボルト（不図示）によって立ち上がり部２ｂに固定される。
【００２２】
外壁部４は、建物１の外壁を成す部材である。外壁部４は、基礎２及び土台３の上方に配置される。外壁部４は、土台３等に固定される。外壁部４は、内装面材４ａ、面部材４ｂ及び外装面材４ｃ等を具備する。内装面材４ａは、外壁部４の最も屋内側に配置される板状の部材である。面部材４ｂは、内装面材４ａよりも屋外側に配置される板状の部材である。外装面材４ｃは、外壁部４の最も屋外側に配置される板状の部材である。内装面材４ａと面部材４ｂとの間、並びに面部材４ｂと外装面材４ｃの間には、後述する断熱材２５が介装される。
【００２３】
一階床部５は、建物１の一階部分の床を成す部材である。一階床部５は、合板等によって構成され、土台３に固定される。一階床部５は、板面を上下方向に向けて配置される。一階床部５の床面５ａ（上面）は、地盤面ＧＬよりも上方に配置される。
【００２４】
二階床部６は、建物１の二階部分の床を成す部材である。二階床部６は、合板等によって構成され、外壁部４の上下中途部に配置される胴差部（不図示）に固定される。二階床部６は、板面を上下方向に向けて配置される。
【００２５】
屋根７は、建物１の上部に設けられる切妻屋根である。屋根７は、小屋梁（不図示）等によって支持される。
【００２６】
このように構成される建物１の内部には、床下空間８及び屋内空間９等が形成される。
【００２７】
床下空間８は、建物１の床下に形成される空間である。すなわち、床下空間８は、基礎２と一階床部５とで囲まれた空間である。
【００２８】
屋内空間９は、建物１の床上に形成される空間である。屋内空間９には、一階空間９ａ及び二階空間９ｂが含まれる。
【００２９】
一階空間９ａは、建物１の一階部分を形成する空間である。すなわち、一階空間９ａは、外壁部４と一階床部５と二階床部６とで囲まれた空間である。一階空間９ａは、床下空間８の上方に配置される。一階空間９ａは、空調システム２０によって温度調節される。
【００３０】
二階空間９ｂは、建物１の二階部分を形成する空間である。すなわち、二階空間９ｂは、外壁部４と二階床部６と屋根７とで囲まれた空間である。
【００３１】
次に、図２を参照して、一階空間９ａの内部構成について簡単に説明する。
【００３２】
図２に示すように、一階空間９ａには、玄関１０、土間収納１１、リビング１２、ダイニングキッチン１３、トイレ１４、浴室１５及び階段１６等が設けられる。
【００３３】
玄関１０は、一階空間９ａの右前端部に配置される。玄関１０の右部には、靴等を収納するための収納部１０ａが設けられる。
【００３４】
土間収納１１は、玄関１０の左方に配置される。土間収納１１には、物品等を収納するための収納部１１ａが設けられる。
【００３５】
リビング１２は、玄関１０の左後方に配置される。本実施形態において、リビング１２には、その床面が他の部分の床面よりも低くなるようなダウンフロアが採用されている。
【００３６】
ダイニングキッチン１３は、リビング１２の後方（一階空間９ａの後部）に配置される。ダイニングキッチン１３は、リビング１２と繋がっている。ダイニングキッチン１３には、シンク等を有するキッチンカウンター１３ａ及び収納部１３ｂが設けられる。また、ダイニングキッチン１３には、テーブル１３ｃ及び椅子１３ｄが配置される。
【００３７】
トイレ１４は、ダイニングキッチン１３の左方に配置される。トイレ１４は、間仕切り及びドアによってダイニングキッチン１３と区画される。
【００３８】
浴室１５は、トイレ１４の左方に配置される。浴室１５は、間仕切り及びドアによってトイレ１４と区画される。
【００３９】
階段１６は、リビング１２の左方に配置される。階段１６には、上り下りの途中で１８０°向きを変える折り返し階段が採用されている。階段１６は、その右前部が一階床部５と接続されると共に、その右後部が二階床部６（図１（ａ）参照）と接続される。
【００４０】
次に、図３から図６までを参照して、空調システム２０の構成について説明する。
【００４１】
空調システム２０は、床下空間８の空気を一階空間９ａに導入して一階空間９ａの温度を調節するためのものである。図３及び図４に示すように、空調システム２０は、放熱器２１、ファン２２、吹出口２３、エアコン２４、断熱材２５及び制御装置２６を具備する。
【００４２】
放熱器２１は、床下空間８を暖めるためのものである。放熱器２１は、床下空間８に設けられる。放熱器２１は、ダイニングキッチン１３の下方に間隔を空けて四つ設けられると共に、リビング１２の左下方に一つ（合計五つ）設けられる。放熱器２１は、本体２１ａ及び一対の温水ダクト２１ｂを具備する。なお、放熱器２１は全て同じように構成される。このため、以下では、リビング１２の左下方に設けられる放熱器２１を例に挙げて、放熱器２１の構成について説明する。
【００４３】
本体２１ａは、基礎２のベース部２ａに載置される。本体２１ａは、熱媒体である温水を内部で流通させることで、床下空間８の空気と温水とで熱交換させる。これによって、本体２２ａは、床下空間８の空気を加熱する。
【００４４】
一対の温水ダクト２１ｂは、一端部が本体２１ａと接続されると共に、他端部が後述するエアコン２４の室外機２４ｂと接続される（図６参照）。
【００４５】
図３及び図５に示すように、ファン２２は、床下空間８の空気を一階空間９ａに送出するためのものである。ファン２２は、リビング１２の左方及びダイニングキッチン１３の左端部に一つずつ（合計二つ）設けられる。ファン２２は、本体２２ａ、グリル２２ｂ及びダクト２２ｃを具備する。なお、ファン２２は全て同じように構成される。このため、以下では、リビング１２の左方に設けられるファン２２を例に挙げて、ファン２２の構成について説明する。
【００４６】
本体２２ａは、床下空間８に配置される。本体２２ａは、モータ（不図示）によってプロペラ（不図示）を回転させ、後述する吹出口２３（図５においては右方向）に向けて空気を送り出す。
【００４７】
グリル２２ｂは、一階床部５の床面５ａに設けられ、床下空間８と一階空間９ａとを連通する。
【００４８】
ダクト２２ｃは、その一端部がグリル２２ｂと接続されると共に、その他端部が本体２２ａと接続される。
【００４９】
このように構成されるファン２２は、前記モータを駆動させて本体２２ａを動作させることによって、グリル２２ｂ及びダクト２２ｃを介して一階空間９ａの空気を床下空間８に吸引する。そして、ファン２２は、当該吸引した空気を吹出口２３に向けて送り出す。
【００５０】
吹出口２３は、床下空間８の空気を一階空間９ａに導入するためのものである。吹出口２３は、土間収納１１の後部及びダイニングキッチン１３の右後端部に一つずつ（合計二つ）設けられる。すなわち、吹出口２３は、放熱器２１及びファン２２に対して離れた位置に配置される。吹出口２３は、一階床部５の床面５ａに設けられ、床下空間８と一階空間９ａ（土間収納１１及びダイニングキッチン１３）とを連通する。
【００５１】
エアコン２４は、リビング１２の温度を調節するためのものである。図３及び図６に示すように、エアコン２４は、室内機２４ａ、室外機２４ｂ及び一対の冷媒ダクト２４ｃを具備する。
【００５２】
室内機２４ａは、リビング１２（外壁部４）に設けられる。室内機２４ａは、冷媒とリビング１２の空気とで熱交換させると共に、当該熱交換させた空気をリビング１２に供給する。
【００５３】
室外機２４ｂは、屋外に設けられる。室外機２４ｂは、エアコン２４の動作（冷暖房）時に、冷媒を圧縮して冷媒の温度を上昇させる。また、室外機２４ｂは、冷媒と屋外の空気とを熱交換させる。
【００５４】
本実施形態に係る室外機２４ｂは、一対の温水ダクト２１ｂを介して放熱器２１の本体２１ａと接続され、放熱器２１の本体２１ａとの間で温水を循環可能に構成される。室外機２４ｂは、温水をヒータ（不図示）によって加熱すると共に、当該加熱した温水をポンプ（不図示）によって放熱器２１に供給する。このように、本実施形態に係る室外機２４ｂは、放熱器２１を動作させる放熱器２１の室外機としても機能する。
【００５５】
一対の冷媒ダクト２４ｃは、その一端部が室内機２４ａと接続されると共にその他端部が室外機２４ｂと接続される。冷媒は、一対の冷媒ダクト２４ｃを介して室内機２４ａと室外機２４ｂとの間で循環される。
【００５６】
断熱材２５は、屋内と屋外との間の熱移動を抑制するためのものである。図６に示すように、断熱材２５は、屋内側基礎断熱材２５ａ、屋外側基礎断熱材２５ｂ、屋内側外壁断熱材２５ｃ及び屋外側外壁断熱材２５ｄを具備する。
【００５７】
屋内側基礎断熱材２５ａは、基礎２の立ち上がり部２ｂの屋内側に取り付けられる。屋外側基礎断熱材２５ｂは、基礎２の立ち上がり部２ｂの屋外側に取り付けられる。このように、本実施形態では、基礎２を屋内側及び屋外側の両方から断熱するようにして、基礎２における断熱効果を高くしている。
【００５８】
屋内側外壁断熱材２５ｃは、外壁部４の内装面材４ａと面部材４ｂとの間に介装される。屋外側外壁断熱材２５ｄは、面部材４ｂと外装面材４ｃとの間に介装される。このように、本実施形態では、屋内側外壁断熱材２５ｃと屋外側外壁断熱材２５ｄとで外壁部４を二重に断熱するようにして、外壁部４における断熱効果を高くしている。
【００５９】
図３に示す制御装置２６は、空調システム２０の動作を制御するためのものである。制御装置２６は、リビング１２（外壁部４）に設けられる。制御装置２６は、主としてＣＰＵ等の演算処理装置、ＲＡＭやＲＯＭ等の記憶装置、並びにタッチパネル等の入出力装置等により構成される。制御装置２６は、図示せぬ時計部を具備し、当該時計部を用いて現在の月日を確認することができる。また、制御装置２６は、現在の月日に応じて空調システム２０を動作させるための種々のプログラム等を前記記憶装置に格納している。このような制御装置２６は、例えば、ＨＥＭＳ（Ｈｏｍｅ  Ｅｎｅｒｇｙ  Ｍａｎａｇｅｍｅｎｔ  Ｓｙｓｔｅｍ）によって構成される。
【００６０】
制御装置２６は、ファン２２の本体２２ａと電気的に接続される。制御装置２６は、ファン２２に信号を送信することで、ファン２２を動作させたり当該動作を停止させたりすることができる。
【００６１】
制御装置２６は、エアコン２４の室内機２４ａと電気的に接続される。制御装置２６は、室内機２４ａに信号を送信することで、エアコン２４を動作させたり当該動作を停止させたりすることができる。
【００６２】
制御装置２６は、エアコン２４の室外機２４ｂと電気的に接続される。制御装置２６は、室外機２４ｂに信号を送信することで、放熱器２１を動作させたり当該動作を停止させたりすることができる。
【００６３】
次に、空調システム２０の動作について説明する。
【００６４】
空調システム２０は、冬季、春季及び秋季、並びに夏季でその動作が異なる。このため、以下では、まず、図７等を参照して冬季における空調システム２０の動作について説明する。なお、図７から図９においては、動作している放熱器２１を斜線で示している。
【００６５】
ここで、冬季とは、予め設定されて制御装置２６に記憶される期間である。冬季は、月単位で設定され、１年の中で月の平均気温が低い３つの月（３ヶ月）が設定される。本実施形態において冬季には、１２月、１月及び２月が設定される。
【００６６】
制御装置２６は、前記時計部を用いて現在の月日を確認し、当該確認結果に基づいて現在の月が冬季であるか否かを判断する。そして、制御装置２６は、冬季であると判断した場合に冬季に応じた制御を行う。
【００６７】
図７に示す冬季において、床下空間８の自然温度（放熱器２１等で温度調節しない場合の温度）は、一般的に１４〜１５℃である。すなわち、床下空間８の自然温度は、屋外の温度及び一階空間９ａの自然温度よりも高いものの、冬季において居住者が快適と感じる温度（２０℃程度）よりも低くなる。
【００６８】
そこで、制御装置２６は、冬季において全ての放熱器２１を動作させる。これにより、制御装置２６は、温水との熱交換によって床下空間８の空気を加熱して、床下空間８を暖める。
【００６９】
また、制御装置２６は、冬季において全てのファン２２を動作させる（図３参照）。これにより、図５及び図７に示すように、ファン２２は、床下空間８で空気の流れを作り、放熱器２１で暖められた空気（放熱器２１周辺の空気）を放熱器２１から離れた場所に送り出す。
【００７０】
こうして、放熱器２１で暖められた空気は、吹出口２３に送られて、吹出口２３から一階空間９ａ（土間収納１１及びダイニングキッチン１３）に導入される。これによれば、自然温度よりも高い床下空間８の空気を一階空間９ａに導入することができるため、冬季において一階空間９ａを快適な温度に調節することができる。
【００７１】
また、制御装置２６は、冬季においてエアコン２４を動作させ、室内機２４ａからリビング１２及びリビング１２と繋がったダイニングキッチン１３（一階空間９ａ）に暖かい空気を送り出す。これによれば、制御装置２６は、床下空間８から導入される空気と室内機２４ａから送り出される空気とで、リビング１２及びダイニングキッチン１３を効果的に暖めることができる。また、エアコン２４の負荷を減らしてエアコン２４の出力を下げることができるため、エアコン２４の消費電力を下げることができる（省エネ効果を得ることができる）。
【００７２】
また、空調システム２０によれば、ファン２２によって床下空間８で強制的に（機械的に）空気の流れを作ることができる（風量を確保できる）ため、吹出口２３の形状が小さくても十分な量の空気を一階空間９ａに導入することができる。これによれば、床下空間８と一階空間９ａとの温度差によって生じる対流だけで一階空間９ａに空気を導入する場合と比較して、吹出口２３の形状を小さくすることができる。
【００７３】
これによって、吹出口２３を目立ち難くすることができるため、一階空間９ａの美観を向上することができる。また、吹出口２３にゴミや埃等が入り難くすることができるため、吹出口２３からゴミや埃等が落下することを防止するための対策（例えば、フィルターの設置等）を簡素なものにすることができる。
【００７４】
ここで、床下空間８には、間仕切りが設けられていない。すなわち、床下空間８は、その全域が繋がった一つの空間となっている。このため、ファン２２によって送り出された空気（暖められた空気）は、床下空間８の全域に流されることとなる。また、吹出口２３の形状が小さくなることで、吹出口２３の形状が大きい場合に比べて、当該吹出口２３の設置場所の自由度が高まる。
【００７５】
すなわち、空調システム２０によれば、吹出口２３の設置場所の自由度が高まる結果、一階空間９ａのより広範囲に床下空間８の空気（暖められた空気）を導入することが可能となるため、一階空間９ａの広範囲を快適な温度に調節することができる。これによれば、一階空間９ａのドアにアンダーカット等を設けて一階空間９ａの各場所（ダイニングキッチン１３やトイレ１４等）を互いに連通することなく、一階空間９ａの全域を快適な温度に調節することもできる。
【００７６】
また、床下空間８にファン２２を設けることで、吹出口２３の下方（近傍）に放熱器２１を配置することなく、放熱器２１で暖めた空気を吹出口２３から一階空間９ａに導入可能となる。これによって、放熱器２１と吹出口２３とを離して配置することができるため、放熱器２１及び吹出口２３のレイアウト自由度を向上することができる。
【００７７】
また、空調システム２０においては、ファン２２で一階空間９ａの空気を床下空間８に吸引する（床下空間８に給気する）ようにしている。これによって、床下空間８の空気を一階空間９ａに排気する場合よりも、一階空間９ａに導入される空気の流れ（風）を弱くして、居住者に不快感を与え難くしている。
【００７８】
図３に示すように、本実施形態においては、ダイニングキッチン１３（すなわち、居住者が日常多く居ることが想定される居室空間）の下方に放熱器２１を配置している。これによれば、放熱器２１で暖められた床下空間８の空気によってダイニングキッチン１３の床面（一階床部５の床面５ａの一部）を暖めることができる。
【００７９】
次に、図８等を参照して春季及び秋季における空調システム２０の動作について説明する。
【００８０】
ここで、春季及び秋季とは、予め設定されて制御装置２６に記憶される期間である。春季及び秋季は、月単位で設定され、１年の中で月の平均気温が中間となる３つの月（３ヶ月）がそれぞれ設定される。なお、本実施形態において、春季には、３月、４月及び５月が設定される。また、本実施形態において秋季には、９月、１０月及び１１月が設定される。
【００８１】
制御装置２６は、前記時計部を用いて現在の月日を確認し、当該確認結果に基づいて現在の月が春季又は秋季であるか否かを判断する。そして、制御装置２６は、春季又は秋季であると判断した場合に春季及び秋季に応じた制御を行う。
【００８２】
図８に示す春季及び秋季において、床下空間８の自然温度は、一般的に２４〜２５℃である。すなわち、床下空間８の自然温度は、春季及び秋季において居住者が快適と感じる温度（２５℃程度）に近い温度となる。
【００８３】
制御装置２６は、このような春季及び秋季において全ての放熱器２１の動作を停止させる。また、制御装置２６は、エアコン２４の動作も停止させる。
【００８４】
制御装置２６は、このような状態で全てのファン２２を動作させる（図３参照）。これによって、床下空間８の空気（暖められていない空気）は、ファン２２によって吹出口２３に送られて、吹出口２３から一階空間９ａに導入される。このように、制御装置２６は、床下空間８の自然温度が居住者が快適と感じる温度と大差がない春季及び秋季において、ファン２２を動作させ、床下空間８の空気をそのまま一階空間９ａに導入することで一階空間９ａを快適な温度に調節することができる。
【００８５】
これによれば、春季及び秋季において動作させる機器を最小限に留めることができるため、温度調節に要する消費電力を下げることができる。
【００８６】
次に、図９等を参照して夏季における空調システム２０の動作について説明する。
【００８７】
ここで、夏季とは、予め設定されて制御装置２６に記憶される期間である。夏季は、月単位で設定され、１年の中で月の平均気温が高い３つの月（３ヶ月）が設定される。なお、本実施形態において夏季には、７月、８月及び９月が設定される。
【００８８】
制御装置２６は、前記時計部を用いて現在の月日を確認し、当該確認結果に基づいて現在の月が夏季であるか否かを判断する。そして、制御装置２６は、夏季であると判断した場合に冬季に応じた制御を行う。
【００８９】
図９に示す夏季において、床下空間８の自然温度は、一般的に２４〜２５℃である。すなわち、床下空間８の自然温度は、夏季において居住者が快適と感じる温度（２５℃程度）に近い温度となる。
【００９０】
制御装置２６は、このような夏季において全ての放熱器２１の動作を停止させる。制御装置２６は、このような状態で全てのファン２２を動作させる（図３参照）。これによって、床下空間８の空気（暖められていない空気）は、ファン２２によって吹出口２３に送られて、吹出口２３から一階空間９ａに導入される。このように、制御装置２６は、床下空間８の自然温度が居住者が快適と感じる温度と大差がない夏季において、床下空間８の空気をそのまま一階空間９ａに導入する。これによって、一階空間９ａに冷たい風を導入して一階空間９ａの快適な温度に調節することができる。
【００９１】
また、制御装置２６は、夏季においてエアコン２４を動作させ、室内機２４ａからリビング１２及びダイニングキッチン１３に冷たい空気を送り出す。これによれば、制御装置２６は、床下空間８から導入される空気と室内機２４ａから送り出される空気とで、リビング１２及びダイニングキッチン１３を効果的に冷やすことができる。また、エアコン２４の負荷を減らしてエアコン２４の消費電力を下げることができる。
【００９２】
以上のように、空調システム２０によれば、１年を通して一階空間９ａの温度を安定させる（居住者が快適と感じる温度で維持する）ことができる。また、エアコン２４を具備する空調システム２０によれば、居住者がエアコン２４を手動操作することで一時的な温度変化（例えば、多くの来客がある場合等）に対応することが可能となる。
【００９３】
また、図１（ｂ）に示すように、本実施形態においては、屋内側基礎断熱材２５ａ及び屋外側基礎断熱材２５ｂによって基礎２における断熱効果を高くしている。これによれば、床下空間８の保温効果を高めることができるため、床下空間８と屋外との温度差が大きい冬季及び夏季において床下空間８の温度変化を効果的に抑制することができる。
【００９４】
また、本実施形態においては、屋内側外壁断熱材２５ｃ及び屋外側外壁断熱材２５ｄによって外壁部４における断熱効果を高くしている。これによれば、一階空間９ａの保温効果を高めることができるため、一階空間９ａと屋外との温度差が大きい冬季及び夏季において、一階空間９ａの温度変化を効果的に抑制することができる。
【００９５】
以上の如く、本実施形態に係る空調システム２０は、建物１の床下空間８に設置され、空気を加熱する放熱器２１（加熱装置）と、前記床下空間８よりも上方に配置される屋内空間９の一階空間９ａに前記床下空間８の空気を送出するファン２２と、前記一階空間９ａの床面５ａに形成され、前記床下空間８の空気を前記ファン２２により前記一階空間９ａに導入する吹出口２３と、を具備するものである。
【００９６】
このように構成することにより、ファン２２によって床下空間８に空気の流れを作ることができるため、吹出口２３の形状を小さくすることができる。また、放熱器２１によって、床下空間８が過剰に乾燥することなく床下空間８を暖めることができる。また、このような床下空間８の空気によって一階空間９ａを暖めることで、一階空間９ａが過剰に乾燥することなく一階空間９ａを暖めることができる。さらに、ファン２２によって放熱器２１で暖めた空気を床下空間８の全域に送り出すことができるため、床下空間８の全体を暖めることができる。
【００９７】
また、前記放熱器２１及び前記ファン２２の動作を制御可能な制御装置２６をさらに具備し、前記制御装置２６は、冬季において、前記放熱器２１を動作させると共に、前記ファン２２を動作させて前記床下空間８の空気を前記吹出口２３を介して前記一階空間９ａに送出し、夏季において、前記放熱器２１の動作を停止させると共に、前記ファン２２を動作させて前記床下空間８の空気を前記吹出口２３を介して前記一階空間９ａに送出するものである。
【００９８】
このように構成することにより、床下空間８の自然温度が居住者が快適と感じる温度よりも低い冬季において、放熱器２１で暖めた床下空間８の空気を一階空間９ａに導入することができる。また、床下空間８の自然温度が居住者が快適と感じる温度と大差がない夏季において、床下空間８の空気をそのまま一階空間９ａに導入することができる。これによって、冬季及び夏季に一階空間９ａを快適な温度に調節することができる。
【００９９】
また、前記一階空間９ａに配置される室内機２４ａと、当該室内機２４ａとの間で冷媒が流通可能に接続される室外機２４ｂとを有するエアコン２４をさらに具備し、前記室外機２４ｂは、前記放熱器２１との間で熱媒体が流通可能に接続され、前記熱媒体を加熱可能に構成されるものである。
【０１００】
このように構成することにより、エアコン２４の室外機２４ｂを放熱器２１の室外機としても用いることができるため、室外機を一つにまとめて省スペース化することができる。
また、本実施形態においては、屋外の温度と居住者が快適と感じる温度との差が大きい冬季及び夏季において、エアコン２４を動作させるようにしている。これによって、一階空間９ａを快適な温度に調節し易くすることができる。
【０１０１】
また、前記ファン２２は、前記一階空間９ａの空気を前記床下空間８に吸引するものである。
【０１０２】
このように構成することにより、一旦温度調節された一階空間９ａの空気を床下空間８に導入することができるため、ファン２２の吸引によって生じる床下空間８の温度変化を抑制することができる。これによって、一階空間９ａの温度調節をし易くすることができる。
【０１０３】
また、前記建物１の基礎２の屋内側に配置される屋内側基礎断熱材２５ａと、前記基礎２の屋外側に配置される屋外側基礎断熱材２５ｂと、をさらに具備するものである。
【０１０４】
このように構成することにより、床下空間８を形成する基礎２の断熱効果を高めることができる。これによって、床下空間８の保温効果を高めて、屋外の空気による温度変化を抑制することができる。
【０１０５】
また、前記一階空間９ａは、前記建物１の一階部分を形成するものである。
【０１０６】
このように構成することにより、床下空間８のすぐ上方の空間に床下空間８の空気を導入することができるため、床下空間８の空気を一階空間９ａに簡単に送ることができる。
特に、冬季においては一階空間９ａは冷え易いため、より実効的に温風（床下空間８で暖められた空気）送出の効果を享受できる。
【０１０７】
また、前記放熱器２１は、前記一階空間９ａに形成されるダイニングキッチン１３（居室空間）の下方に配置されるものである。
【０１０８】
このように構成することにより、放熱器２１で加熱された床下空間８の空気によって、ダイニングキッチン１３の床面を暖めることができる。
また、人が滞在する時間の比較的長いダイニングキッチン１３の床面を暖めることで、床暖房（放熱器２１によって床面５ａを暖めることによる暖房）の効果をより実効的に得ることができる。
【０１０９】
なお、本実施形態に係る放熱器２１は、加熱装置の実施の一形態である。
また、本実施形態に係る一階空間９ａは、屋内空間の実施の一形態である。
また、本実施形態に係るダイニングキッチン１３は、居室空間の実施の一形態である。
【０１１０】
以上、本発明の実施形態を説明したが、本発明は上記構成に限定されるものではなく、特許請求の範囲に記載された発明の範囲内で種々の変更が可能である。
【０１１１】
例えば、本実施形態において、建物１は、一軒家であるものとしたが、建物１の種類はこれに限定されるものでなく、集合住宅等であってもよい。
【０１１２】
また、建物１に設けられる屋根７の形状は切妻屋根に限るものではなく、種々の形状の屋根を適用することが可能である。
【０１１３】
また、本実施形態において、冬季には、１２月、１月及び２月が設定されるものとしたが、これに限定されるものでない。冬季には、建物１の場所等に応じて適宜の期間を設定することが可能である。例えば、寒冷地の建物１に空調システム２０が設けられる場合、冬季に１１月、１２月、１月、２月及び３月を設定してもよい。また、春季、夏季及び秋季においても、冬季と同様に、建物１の場所等に応じて適宜の期間を設定することが可能である。
【０１１４】
また、本実施形態において、冬季、春季、夏季及び秋季は、月単位で設定されるものとしたが、これに限定されるものでなく、日単位で設定されるものであってもよい。例えば、冬季は、１２月１５日から３月１４日までであってもよい。また、春季、夏季及び秋季においても、冬季と同様に、日単位で設定されるものであってもよい。
【０１１５】
また、本実施形態において、制御装置２６は、冬季等（月）に応じて空調システム２０の動作を制御するものとしたが、これに限定されるものでない。制御装置２６は、例えば、屋外の温度に応じて空調システム２０の動作を制御してもよい。このような場合において、空調システム２０は、屋外の気温を測定可能な温度計を具備していてもよい。また、制御装置２６は、放熱器２１及びエアコン２４を動作させるか否かの判断基準となる温度（閾値）を予め記憶していてもよい。
【０１１６】
また、本実施形態においては、温水を循環させる放熱器２１によって床下空間８を暖めるものとしたが、床下空間８を暖める手段はこれに限定されるものでなく、例えば、床下空間８に配置されて熱を発生させるヒータ等であってもよい。
【０１１７】
また、リビング１２には、ダウンフロアが採用されていなくてもよい。このような場合において、放熱器２１は、床下空間８にバランスよく配置されていてもよい。また、放熱器２１は、リビング１２の下方に配置されてリビング１２の床面を暖めてもよい。
【０１１８】
また、放熱器２１の配置は、本実施形態に限定されるものでない。放熱器２１は、例えば、床下空間８の中央部に集中的に配置されていてもよい。また、放熱器２１は、床下空間８の屋外側に分散して配置されていてもよい。
【０１１９】
また、本実施形態において、ファン２２は、一階空間９ａの空気を床下空間８に吸引するものとしたが、ファン２２の吸引対象はこれに限定されるものでなく、例えば、屋外の空気を吸引するものであってもよい。また、ファン２２は、床下空間８から一階空間９ａへ空気を排気するものであってもよい。
【０１２０】
また、放熱器２１及びファン２２の個数（設置台数）は特に限定するものではなく、それぞれ任意の個数を設置することが可能である。
【０１２１】
また、本実施形態において、空調システム２０は、エアコン２４を具備するものとしたが、これに限定されるものでなく、エアコン２４を具備していなくてもよい。
【０１２２】
また、本実施形態において、空調システム２０は、断熱材２５を具備するものとしたが、これに限定されるものでなく、断熱材２５を具備していなくてもよい。
【０１２３】
また、本実施形態において、エアコン２４の室外機２４ｂは、放熱器２１の室外機としても機能するものとしたが、これに限定されるものでない。すなわち、空調システム２０は、放熱器２１の室外機とエアコン２４の室外機２４ｂとをそれぞれ具備するものであってもよい。
【０１２４】
また、本実施形態において、断熱材２５は、屋内側基礎断熱材２５ａ及び屋外側基礎断熱材２５ｂを具備するものとしたが、これに限定されるものでない。断熱材２５は、屋内側基礎断熱材２５ａ又は屋外側基礎断熱材２５ｂの少なくともいずれか一方を具備していればよい。
【０１２５】
また、本実施形態において、断熱材２５は、屋内側外壁断熱材２５ｃ及び屋外側外壁断熱材２５ｄをそれぞれ具備するものとしたが、これに限定されるものでない。断熱材２５は、屋内側外壁断熱材２５ｃ又は屋外側外壁断熱材２５ｄの少なくともいずれか一方を具備していればよい。
【符号の説明】
【０１２６】
１      建物
８      床下空間
９      屋内空間
２０    空調システム
２１    放熱器（加熱装置）
２２    ファン
２３    吹出口
【図１】
2017067322.tif 000003
【図２】
2017067322.tif 000004
【図３】
2017067322.tif 000005
【図４】
2017067322.tif 000006
【図５】
2017067322.tif 000007
【図６】
2017067322.tif 000008
【図７】
2017067322.tif 000009
【図８】
2017067322.tif 000010
【図９】
2017067322.tif 000011